(57)【特許請求の範囲】
【請求項１】
少なくとも一台のテレビ・インターホン・モニタを含み、該テレビ・インターホン・モニタは、内部通信線およびマトリックス・セレクタを介して、少なくとも一台の入口パネルと少なくとも一台のインタフェースユニットとに接続し、該インターフェースユニットにより通信ネットワークを介して電子案内ステーションに接続し、上記通信ネットワークは、専用ネットワーク、公共ネットワーク及びインターネットからなるグループから選択されたものであり、該通信ネットワークを介してテレビ・インターホン・モニタ・システムに接続する以下のステップからなるテレビ・インターホン・モニタ・システムの接続方法であって、
上記テレビ・インターホン・モニタ及び入口パネルで発生した情報信号を伝達するステップであって、該情報信号が、音声信号、映像信号、制御信号、警報信号及びデータ信号からなるグループから選択された信号の組み合せからなるものであり、該情報信号を、上記マトリックス・セレクタ及び少なくとも一台のテレビ・インターホン・モニタ、少なくとも一台の入口パネル、少なくとも一台のインターフェースユニットのいずれかを選択して上記内部通信線を介して送受し、
上記通信ネットワークに対してインターフェース情報信号を供給するために、上記インターフェースユニットを通して上記情報信号を処理し、
接続呼び出し信号を発生させ、該接続呼び出し信号を少なくとも一台のインターフェースユニットに供給し、該通信ネットワークを介して該電子案内ステーションと該インターフェースユニットを接続し、
上記テレビ・インターホン・モニタ・システムおよび該電子案内ステーションの間で、上記インターフェースユニットによって処理したインターフェース情報信号を通信する
テレビ・インターホン・モニタ・システムの接続方法。
【請求項２】
請求項１の方法において、上記テレビ・インターホン・モニタに動作を行なわせ、かつ上記テレビ・インターホン・モニタ用の再充電可能なバッテリを充電するように制御された電流を、上記内部通信線に接続した電源ユニットから該内部通信線を介して、上記テレビ・インターホン・モニタに供給することを特徴とする方法。
【請求項３】
請求項１または２の方法において、上記テレビ・インターホン・モニタ及び
上記入口パネルが選択キーを有し、該選択キーにより上記接続呼び出し信号を含む制御信号を発生させることを特徴とする方法。
【請求項４】
請求項１ないし３のいずれかの方法において、上記テレビ・インターホン・モニタが、少なくとも一つの案内カウンタ・ステーションと少なくとも一つの警備カウンタ・ステーションからなるグループから選択される少なくとも一つの案内カウンタ・ステーションまたは警備カウンタ・ステーションと、上記マトリックス・セレクタ及び上記内部通信線を介して、少なくとも一台の上記インタフェースユニットとの間で通信することを特徴とする方法。
【請求項５】
請求項１ないし４のいずれかの方法において、上記電子案内ステーションに対して上記インターフェース情報信号を同時に通信するために、少なくとも一台のテレビ・インターホン・モニタ及び上記少なくとも一台の入口パネルが同時に通信して、少なくとも一つの上記インタフェースユニットと同時に通信することを特徴とする方法。
【請求項６】
請求項４または５のいずれかの方法において、上記電子案内ステーションに対して上記インターフェース情報信号を通信するために、少なくとも一台のテレビ・インターホン・モニタ、少なくとも一つの上記インタフェースユニットを介して、少なくとも一つの上記カウンタ・ステーションと同時に通信することを特徴とする方法。
【請求項７】
請求項４ないし６のいずれかの方法において、少なくとも一つの上記インタフェースユニットが、少なくとも一つの上記カウンタ・ステーション、少なくとも一台の入口パネル及び少なくとも一台のテレビ・インターホン・モニタのいずれかを選択して通信し、上記インタフェース情報信号を上記電子案内ステーションとの間でいずれかを選択して送受させることを特徴とする方法。
【請求項８】
請求項７の方法において、少なくとも一つの上記インタフェースユニットが、
上記選択的通信により得た同時通信状態で情報信号を処理し、該情報信号を少なくとも一つの上記カウンタ・ステーション及びそれぞれ少なくとも一台の上記入口パネル及び上記テレビ・インターホン・モニタごとに、それぞれ独立したインタフェース情報信号として、上記通信ネットワークを介して、上記電子案内ステーションへ個別に送信することを特徴とする方法。
【請求項９】
専用ネットワーク、公共ネットワークおよびインターネットからなるグループから選択される通信ネットワークによって、テレビ・インターホン・モニタ・システムを電子案内ステーションに接続するテレビ・インターホン・モニタ・システムの接続装置であって、
少なくとも一台のテレビ・インターホン・モニタを含み、該テレビ・インターホン・モニタは、内部通信線及びマトリックス・セレクタを介して、少なくとも一台の入口パネル及び少なくとも一台のインタフェースユニットとに接続し、
少なくとも一台の上記テレビ・インターホン・モニタ及び少なくとも一台の上記入口パネルがそれぞれ選択キーを含み、上記マトリックス・セレクタ及び上記内部通信線を介して、少なくとも上記一台のテレビ・インターホン・モニタと少なくとも上記一台の入口パネル、少なくとも１台の該インタフェースユニットと、少なくとも上記一台の入口パネル及び少なくとも一台の上記インタフェースユニットの間で通信される音声信号、映像信号、制御信号、警報信号およびデータ信号からなるグループから選択された信号の組み合せからなる情報信号を処理し、
少なくとも一台の上記インタフェースユニットが、上記情報信号を処理し、該情報ネットワークを介して、該電子案内ステーションとインターフェース情報信号を通信し、
上記選択キーのいくつかで上記インタフェースユニットに対する接続呼び出し信号を発生させ、少なくとも一台の上記入口パネルと上記テレビ・インターホン・モニタのいずれかと該インターフェース情報信号を、上記インタフェースユニットを介して上記電子案内ステーションに接続する
ことを特徴とするテレビ・インターホン・モニタ・システムの接続装置。
【請求項１０】
請求項９の装置において、上記内部通信線は、上記テレビ・インターホン・モニタに該内部通信線を介して制御された電流を供給するための電源ユニットに接続し、該電源ユニットで上記テレビ・インターホン・モニタ用の再充電可能なバッテリを充電可能とすることを特徴とする装置。
【請求項１１】
請求項９または１０の装置において、上記テレビ・インターホン・モニタ・システムは、少なくとも１台のインタフェースユニットに対して上記マトリックス・セレクタ及び上記内部通信線、少なくとも一台のテレビ・インターホン・モニタ、少なくとも一台の入口パネルのいずれかを選択して、少なくとも一つの該情報信号を伝える案内カウンタ・ステーションまたは警備カウンタ・ステーションからなるグループから選択された少なくとも一つのカウンタ・ステーションからなることを特徴とする装置。
【請求項１２】
請求項９ないし１１のいずれかの装置において、少なくとも一台のテレビ・インターホン・モニタ、及び少なくとも一台の入口パネルが上記インタフェースユニットと同時に通信し、上記電子案内ステーションに対して上記インタフェース情報信号を同時に送受することを特徴とする装置。
【請求項１３】
請求項１１ないし１２のいずれかの装置において、少なくとも上記インタフェースユニットの上記カウンタ・ステーション、少なくとも一台の入口パネル及び少なくとも一台のテレビ・インターホン・モニタのいずれかを選択して、上記インタフェース情報信号を選択的に上記電子案内ステーションに送信することを特徴とする装置。
【請求項１４】
請求項１３の装置において、上記インタフェースユニットが、上記通信ネットワークを介して、上記電子案内ステーションに伝えられた情報信号及び上記複数の独立したインターフェース情報信号を処理することを特徴とする装置。
【請求項１５】
請求項１ないし３のいずれかの方法において、該インタフェースユニットが、上記電子案内ステーションによるサービスに関連するデータを記憶し、上記テレビ・インターホン・モニタテレビインターホンモニタで該サービスに関する情報を表示するために、該記憶したデータを引き出すためのメモリー手段を備えていることを特徴とする方法。
【請求項１６】
請求項４ないし８のいずれかの方法において、少なくとも１台の該インタフェースユニットが、該電子案内ステーションによるサービスに関連するデータを記憶し、該テレビインターホンモニタおよび少なくとも１台のカウンタ・ステーションが備えるモニタで該サービスに関連する情報を表示するために、該記憶したデータを引き出すための記憶手段を備えていることを特徴とする方法。
【請求項１７】
請求項９ないし１０のいずれかの装置において、該インタフェースユニットが該電子案内ステーションによるサービスに関連するデータを記憶し、上記テレビ・インターホン・モニタで上記サービスに関連する情報を表示するために、上記記憶したデータを引き出すための記憶手段を備えていることを特徴とする装置。
【請求項１８】
請求項１１ないし１４のいずれかの装置において、少なくとも一台の上記インターフェースユニットが、上記電子案内ステーションによるサービスに関連するデータを記憶し、上記テレビ・インターホン・モニタ及び少なくとも一台の上記カウンタ・ステーションが備えるモニタで上記サービスに関連する情報を表示するために上記記憶したデータを引き出すための記憶手段を備えていることを特徴とする装置。
【発明の詳細な説明】
【０００１】
【発明の属する技術分野】
本発明は、建物の入口及び建物の個々の部屋の間におけるコミュニケーション用のテレビ・インターホンシステムに関し、例えば、訪問客の映像を部屋の壁に設けたモニタや案内カウンタ、インターネット上にある案内カウンタ、サービスカウンタに送る方法及び装置に関する。
【０００２】
【従来の技術及び発明が解決しようとする課題】
入口の監視及び入口との通信に使用するテレビ・インターホン・モニタは、部屋の壁に設けるシステムの各種の異なる要素、例えばマイクロホン及びスピーカ配線、映像信号用同軸ケーブル、ドア開放線、呼び出し配線及び警報配線同士を接続するため、マルチ芯ケーブルで配線するが、例えば複数の複合システムを、複数の入口や案内ステーション・システム用に設置すると、配線が非常に複雑かつ高価になる。さらに、複合マルチ入口監視システムを設置した場合、異なる入口から複数の来客があると、選択した部屋にシステムが接続している一人の訪問客を除き、他の訪問客は通信線が「ビジー」になってシステムが次の訪問客のための接続を可能にするまで待たなければならない。回線ビジー状態状態は、特に、ビデオ・インターホン・システム・ネットワークを介して入居者や訪問客とのコミュニケーションで案内ステーションが占有されているときには、遅れその他の不都合を引き起こす。
【０００３】
さらに、ビルに複数の案内ステーションがあっても、案内サービスを部分的に、例えば昼間だけ提供するという場合もある。この場合、入居者が案内ステーションに電話をし続けること等によって混乱や遅れが起きる。すなわち、通信線が話し中になり続け、また絶えずビデオ・インターホン・システムが作動し続け、非常事態の発生通知や他からの案内サービス要求を拒否することになるからである。
【０００４】
テレビ・インターホン・モニタ・システムの他の例が米国特許５，９２３，３６３号において開示されている。この例は、入口ユニットが、同時に複数の入口ユニット及び案内ユニットを複数の部屋に接続するためのマトリックス・スイッチ装置を有する。しかしながら、案内サービスを２４時間通して利用できない場合、またはビル全体に対して単一の案内ステーションだけがサービスに供されている場合、非常事態発生通知だけでなく他のサービスも必要に応じて提供されない可能性が残り、それによってサービスが低下し、能率が悪くなるという問題は解決されていない。
【０００５】
したがって本発明は、専用または公共電話回線、他のネットワークやインターネットを介した案内ステーションとの接続で、２４時間通して入居者及び訪問客に案内サービスを提供できる有線または無線によるテレビ・インターホン・モニタ・システム方法及び装置を提案することを目的とする。
【０００６】
本発明は、電子案内ステーションを単純なキータッチによって簡単に呼ぶことができ、また電子案内ステーションのオペレータとのコミュニケーションが２つの手段、例えば音声及び映像またはデータ通信によって簡単に行える方法及び装置を提供することを目的とする。そして、子供や年輩者のようにパーソナルコンピュータやインターネットへの接続機器の操作ができないであろう人達が、電子案内ステーションを単純に速くかつ効果的に呼び出せ、テレビ・インターホン・モニタの送受話器及びモニタ自体によって通信したり、音声、映像及びテレビ・インターホン・モニタ・システムのデータを使用して種々のサービスを要求できる方法及び装置を提供することを目的とする。
【０００７】
【課題を解決するための手段】
本発明の請求項１に係るテレビ・インターホン・モニタ・システムの接続方法は、上記目的を達成するために、少なくとも一台のテレビ・インターホン・モニタを含み、該テレビ・インターホン・モニタは、内部通信線およびマトリックス・セレクタを介して、少なくとも一台の入口パネルと少なくとも一台のインタフェースユニットとに接続し、該インターフェースユニットにより通信ネットワークを介して電子案内ステーションに接続し、上記通信ネットワークは、専用ネットワーク、公共ネットワーク及びインターネットからなるグループから選択されたものであり、該通信ネットワークを介してテレビ・インターホン・モニタ・システムに接続する以下のステップからなるテレビ・インターホン・モニタ・システムの接続方法であって、上記テレビ・インターホン・モニタ及び入口パネルで発生した情報信号を伝達するステップであって、該情報信号が、音声信号、映像信号、制御信号、警報信号及びデータ信号からなるグループから選択された信号の組み合せからなるものであり、該情報信号を、上記マトリックス・セレクタ及び少なくとも一台のテレビ・インターホン・モニタ、少なくとも一台の入口パネル、少なくとも一台のインターフェースユニットのいずれかを選択して上記内部通信線を介して送受し、上記通信ネットワークに対してインターフェース情報信号を供給するために、上記インターフェースユニットを通して上記情報信号を処理し、接続呼び出し信号を発生させ、該接続呼び出し信号を少なくとも一台のインターフェースユニットに供給し、該通信ネットワークを介して該電子案内ステーションと該インターフェースユニットを接続し、上記テレビ・インターホン・モニタ・システムおよび該電子案内ステーションの間で、上記インターフェースユニットによって処理したインターフェース情報信号を通信する
テレビ・インターホン・モニタ・システムの接続方法としたものである。
【０００８】
同請求項２に係るものは、上記目的を達成するために、請求項１の方法において、上記テレビ・インターホン・モニタに動作を行なわせ、かつ上記テレビ・インターホン・モニタ用の再充電可能なバッテリを充電するように制御された電流を、上記内部通信線に接続した電源ユニットから該内部通信線を介して、上記テレビ・インターホン・モニタに供給することとしたものである。
【０００９】
同請求項３に係るものは、上記目的を達成するために、請求項１または２の方法において、上記テレビ・インターホン・モニタ及び上記入口パネルが選択キーを有し、該選択キーにより上記接続呼び出し信号を含む制御信号を発生させることとしたものである。
【００１０】
同請求項４に係るものは、上記目的を達成するために、請求項１ないし３のいずれかの方法において、上記テレビ・インターホン・モニタが、少なくとも一つの案内カウンタ・ステーションと少なくとも一つの警備カウンタ・ステーションからなるグループから選択される少なくとも一つの案内カウンタ・ステーションまたは警備カウンタ・ステーションと、上記マトリックス・セレクタ及び上記内部通信線を介して、少なくとも一台の上記インタフェースユニットとの間で通信することとしたものである。
【００１１】
同請求項５に係るものは、上記目的を達成するために、請求項１ないし４のいずれかの方法において、上記電子案内ステーションに対して上記インターフェース情報信号を同時に通信するために、少なくとも一台のテレビ・インターホン・モニタ及び上記少なくとも一台の入口パネルが同時に通信して、少なくとも一つの上記インタフェースユニットと同時に通信することとしたものである。
【００１２】
同請求項６に係るものは、上記目的を達成するために、請求項４または５のいずれかの方法において、上記電子案内ステーションに対して上記インターフェース情報信号を通信するために、少なくとも一台のテレビ・インターホン・モニタ、少なくとも一つの上記インタフェースユニットを介して、少なくとも一つの上記カウンタ・ステーションと同時に通信することとしたものである。
【００１３】
同請求項７に係るものは、上記目的を達成するために、請求項４ないし６のいずれかの方法において、少なくとも一つの上記インタフェースユニットが、少なくとも一つの上記カウンタ・ステーション、少なくとも一台の入口パネル及び少なくとも一台のテレビ・インターホン・モニタのいずれかを選択して通信し、上記インタフェース情報信号を上記電子案内ステーションとの間でいずれかを選択して送受させることとしたものである。
【００１４】
同請求項８に係るものは、上記目的を達成するために、請求項７の方法において、少なくとも一つの上記インタフェースユニットが、上記選択的通信により得た同時通信状態で情報信号を処理し、該情報信号を少なくとも一つの上記カウンタ・ステーション及びそれぞれ少なくとも一台の上記入口パネル及び上記テレビ・インターホン・モニタごとに、それぞれ独立したインタフェース情報信号として、上記通信ネットワークを介して、上記電子案内ステーションへ個別に送信することとしたものである。
【００１５】
本発明の請求項９に係るテレビ・インターホン・モニタ・システムの接続装置は、上記目的を達成するために、専用ネットワーク、公共ネットワークおよびインターネットからなるグループから選択される通信ネットワークによって、テレビ・インターホン・モニタ・システムを電子案内ステーションに接続するテレビ・インターホン・モニタ・システムの接続装置であって、少なくとも一台のテレビ・インターホン・モニタを含み、該テレビ・インターホン・モニタは、内部通信線及びマトリックス・セレクタを介して、少なくとも一台の入口パネル及び少なくとも一台のインタフェースユニットとに接続し、少なくとも一台の上記テレビ・インターホン・モニタ及び少なくとも一台の上記入口パネルがそれぞれ選択キーを含み、上記マトリックス・セレクタ及び上記内部通信線を介して、少なくとも上記一台のテレビ・インターホン・モニタと少なくとも上記一台の入口パネル、少なくとも１台の該インタフェースユニットと、少なくとも上記一台の入口パネル及び少なくとも一台の上記インタフェースユニットの間で通信される音声信号、映像信号、制御信号、警報信号およびデータ信号からなるグループから選択された信号の組み合せからなる情報信号を処理し、少なくとも一台の上記インタフェースユニットが、上記情報信号を処理し、該情報ネットワークを介して、該電子案内ステーションとインターフェース情報信号を通信し、上記選択キーのいくつかで上記インタフェースユニットに対する接続呼び出し信号を発生させ、少なくとも一台の上記入口パネルと上記テレビ・インターホン・モニタのいずれかと該インターフェース情報信号を、上記インタフェースユニットを介して上記電子案内ステーションに接続することを特徴とするテレビ・インターホン・モニタ・システムの接続装置としたものである。
【００１６】
同請求項１０に係るものは、上記目的を達成するために、請求項９の装置において、上記内部通信線は、上記テレビ・インターホン・モニタに該内部通信線を介して制御された電流を供給するための電源ユニットに接続し、該電源ユニットで上記テレビ・インターホン・モニタ用の再充電可能なバッテリを充電可能とすることとしたものである。
【００１７】
同請求項１１に係るものは、上記目的を達成するために、請求項９または１０の装置において、上記テレビ・インターホン・モニタ・システムは、少なくとも１台のインタフェースユニットに対して上記マトリックス・セレクタ及び上記内部通信線、少なくとも一台のテレビ・インターホン・モニタ、少なくとも一台の入口パネルのいずれかを選択して、少なくとも一つの該情報信号を伝える案内カウンタ・ステーションまたは警備カウンタ・ステーションからなるグループから選択された少なくとも一つのカウンタ・ステーションからなることとしたものである。
【００１８】
同請求項１２に係るものは、上記目的を達成するために、請求項９または１０の装置において、上記テレビ・インターホン・モニタ・システムは、少なくとも１台のインタフェースユニットに対して上記マトリックス・セレクタ及び上記内部通信線、少なくとも一台のテレビ・インターホン・モニタ、少なくとも一台の入口パネルのいずれかを選択して、少なくとも一つの該情報信号を伝える案内カウンタ・ステーションまたは警備カウンタ・ステーションからなるグループから選択された少なくとも一つのカウンタ・ステーションからなることとしたものである。
【００１９】
同請求項１３に係るものは、上記目的を達成するために、請求項１１ないし１２のいずれかの装置において、少なくとも上記インタフェースユニットの上記カウンタ・ステーション、少なくとも一台の入口パネル及び少なくとも一台のテレビ・インターホン・モニタのいずれかを選択して、上記インタフェース情報信号を選択的に上記電子案内ステーションに送信することとしたものである。
【００２０】
同請求項１４に係るものは、上記目的を達成するために、上記インタフェースユニットが、上記通信ネットワークを介して、上記電子案内ステーションに伝えられた情報信号及び上記複数の独立したインターフェース情報信号を処理することとしたものである。
【００２１】
同請求項１５に係る方法は、上記目的を達成するために、請求項１ないし３のいずれかの方法において、該インタフェースユニットが、上記電子案内ステーションによるサービスに関連するデータを記憶し、上記テレビ・インターホン・モニタテレビインターホンモニタで該サービスに関する情報を表示するために、該記憶したデータを引き出すためのメモリー手段を備えていることとしたものである。
【００２２】
同請求項１６に係る方法は、上記目的を達成するために、請求項４ないし８のいずれかの方法において、少なくとも１台の該インタフェースユニットが、該電子案内ステーションによるサービスに関連するデータを記憶し、該テレビインターホンモニタおよび少なくとも１台のカウンタ・ステーションが備えるモニタで該サービスに関連する情報を表示するために、該記憶したデータを引き出すための記憶手段を備えていることとしたものである。
【００２３】
同請求項１７に係る装置は、上記目的を達成するために、請求項９ないし１０のいずれかの装置において、該インタフェースユニットが該電子案内ステーションによるサービスに関連するデータを記憶し、上記テレビ・インターホン・モニタで上記サービスに関連する情報を表示するために、上記記憶したデータを引き出すための記憶手段を備えていることとしたものである。
【００２４】
同請求項１８に係る装置は、上記目的を達成するために、請求項１１ないし１４のいずれかの装置において、少なくとも一台の上記インターフェースユニットが、上記電子案内ステーションによるサービスに関連するデータを記憶し、上記テレビ・インターホン・モニタ及び少なくとも一台の上記カウンタ・ステーションが備えるモニタで上記サービスに関連する情報を表示するために上記記憶したデータを引き出すための記憶手段を備えていることとしたものである。
【００２５】
【発明の実施の形態】
以下本発明の実施の形態を図面を参照して説明する。なお、本明細書において情報信号とは、音声または映像信号だけ、または音声、映像、警報、データの組み合わせ信号、及び入口パネル、案内ステーションやガード・ステーションとテレビ・インターホン・モニタの間で伝え合うコード信号の組み合わせ、さらには電子案内ステーションとテレビ・インターホン・モニタ間のコード信号、電子案内ステーションと入口パネル、案内ステーション、ガード・ステーション間のコード信号、電子案内ステーションとテレビ・インターホン・モニタ入口パネル、案内ステーション、ガード・ステーション間で同時に伝えられるコード信号を意味する。また以下の記述における映像信号は、合成映像信号、合成映像信号のビデオ部分またはデジタル映像信号であり、音声信号は、アナログまたはデジタル信号である。ただし、映像信号、音声信号、データ信号には、それらの圧縮信号をも含む。
【００２６】
図１は、本発明に係るテレビ・インターホン・モニタシステムの実施形態として、インターネット上の電子案内ステーションに一台のテレビ・インターホン・モニタ・システムを接続する装置を示す。本実施形態は、インターネット上の案内ステーションにテレビ・インターホン・モニタ・システムを接続するための装置である。構成要素としてテレビ・カメラ７１に接続している入口パネル７０、マイクロホン７３、スピーカ７４、ディスプレイ・モニタ７５及び情報信号を選択的に送受するためのセレクタ・キー（図示せず）、入口パネル７０との間で情報信号を送受するコマンドセンサ５０及びセレクタＳｌ、Ｓ２、テレビ・インターホン・モニタ４０及びコマンドセンサ５０の間で情報信号を伝達するための通信線１６を備える。通信線１６による情報信号の伝達は、セレクタＳｌ、Ｓ２及び入口パネル７０を通してコマンドセンサ５０との間で行われる。
【００２７】
テレビ・インターホン・モニタ４０は、映像を表示するためのテレビ・モニタ回路４４及び情報信号の受信及び発生のためのインターホン回路４５を有する。またテレビ・インターホン・モニタ４０は、処理すべきデータ及び警報信号を取り入れるデータ／警報入力、映像信号の受信及び受信データ、警報及び映像信号を通信線１６により伝送するためのビデオ入力を有する。コマンドセンサ５０は、通信線１６によって伝えられるコマンド及び制御信号を抽出し、選択したコマンド信号をセレクタＳ１、Ｓ２に供給する。この信号供給は、コマンド線１７を介してインターネットフェース１１０に対して行う。
【００２８】
セレクタＳ１、Ｓ２は、テレビ・インターホン・モニタ４０から発生させるコマンド信号により操作できる。コマンド信号は、コマンドセンサ５０及びコマンド線１７を通して伝える。セレクタＳ１、Ｓ２は、インターネット・インタフェース１１０及び接続線１８を介して伝えられる電子案内ステーション１２９からのコマンドにより操作できる。入口パネルで発生させたコマンドは、選択線ＳＬを介してセレクタＳｌ、Ｓ２に供給する。図示のように、セレクタＳ１、Ｓ２は、入口パネル７０をテレビ・インターホン・モニタ４０またはインタフェース１１０に接続させることができる。その場合、セレクタＳ１をＢ位置に切り換えるか、セレクタＳ１、Ｓ２を両方とも切り替える。セレクタＳ１、Ｓ２を両方ともＢ位置に切り替えてテレビ・インターホン・モニタ４０及びインターネット・インタフェース１１０を接続する。また、セレクタＳ１、Ｓ２でテレビ・インターホン・モニタ４０をインターネット・インタフェース１１０に接続させることができる。この場合、セレクタＳ２をＢ位置に切り替える。
【００２９】
電子案内ステーション１２９、テレビ・インターホン・モニタ４０、入口パネル７０については、種々の回路構成、接続形態を採用できる。また、図ではセレクタＳ１、Ｓ２を一対の機械的な切り替えスイッチとして示してあるが、種々公知の電子アナログ、デジタル・スイッチ、マトリックス・スイッチを採用できる。これらスイッチは、ＩＣパッケージ化されて広く利用できるようになっている。
【００３０】
インターネット・インタフェース１１０は、コマンド線１７Ａを介してオンとし、接続線１８を介して情報信号を供給し、ネットワーク線１９を介して電子案内ステーション１２９に接続する。ネットワーク線１９は、公共または専用の電話回線、光ファイバ等の有線あるいは無線を使用できる。ネットワークとの接続には、ＴＣＰ／ＩＰ、ＡＴＭ、イーサネット等を使用でき、直接にインターネット・ネップロバイダや電子案内ステーションに接続していてもよい。
【００３１】
電子案内ステーション１２９（詳細は後述する）は、人間のオペレータまたは電子的オペレータを備えており、音声、映像、制御、警報及び共通コード、データ及び情報信号を含むデータ通信手段を有し、コード、データ及び情報信号に対応したテレビ・インターホン・モニタ・システムに使用できるようになっている。
【００３２】
図２は、本発明の第２実施形態を示す。本実施形態は、一つのテレビ・インターホン・モニタ・ユニットを有するテレビ・インターホン・モニタ・システムであり、電源１４を除いて図１に示すシステムと同一の構成を有する。電源１４は、通信線１６、１６Ａ間に電流を供給する。この電流は、テレビ・インターホン・モニタ４０Ａに供給される。通信線１６Ａには、再充電可能なバッテリ４９を充電する電流に加えてテレビ・インターホンを操作するための制御電流を流す。バッテリ４９の電力は、テレビ・インターホン・モニタ４０Ａのテレビ・モニタ回路４４に供給する。なお電源１４、バッテリの充電及びビデオ・インターホン・モニタ４０Ａへの電力供給についての詳細は、米国特許第５，１９２３，３６３号等に開示されているので、説明を省略する。
【００３３】
図３は、本発明の第３実施形態を示す。本実施形態は、電子案内ステーション１２９に複数のテレビインターホン・モニタを接続するシステムである。電子案内ステーション１２９は、好ましくはインターネット上に位置する。本システムは、テレビ・カメラ７１、マイクロホン７３、スピーカ７４、ディスプレイ・モニタ７５を有する入口パネル７０、及び情報信号を送受するためのセレクタ・キー（図示せず）、コマンドセンサ６０及び入口パネル７０との間で情報信号を伝達するための２つのセレクタＳ１、Ｓ２を含む。セレクタＳ１、Ｓ２及び入口パネル７０は、入口ユニット１２０を構成する。また本システムは、２以上のテレビ・インターホン・モニタ４０（図中符号４０に１、２?ｎを添えて示す）の間で情報信号を送受するための複数の通信線１６及び入力コマンドセンサ６０を有し、セレクタＳ１、Ｓ２及び入口パネル７０を介してコマンドセンサ６０との間で情報信号を伝送する。各テレビ・インターホン・モニタ４０は、映像を表示するためのテレビ・モニタ回路４４と、情報信号の受信及び情報信号を発生させるためのインターホン回路４５を有する。
【００３４】
また各ビデオ・インターホン・モニタは、図１のテレビ・インターホン・モニタ４０と同様に処理データ及び警報信号用にデータ／警報入力を有し、かつ映像信号の受信と受信データの伝送用のビデオ入力を有し、通信線１６を介して警報及び映像信号を送出する。コマンドセンサ６０は、警報、コマンド及び制御信号を抽出して復調し、通信線１６を介して送出し、コマンド線１７を介してセレクタＳ１、Ｓ２に選択したコマンド信号を供給し、コマンド線１７を介してインターネット・インターフェイス１１０に接続する。しかしながら、複数のシステムが多くの警報コマンド、制御を発生させる可能性があるので、制御回路１３０には同時にマルチタスクを制御できるマイクロプロセッサーを備えるようにし、制御／コマンド線１７Ｂを介してコマンドセンサ６０から供給されるデータに従ってデータ処理を行えるようにするのが好ましい。
【００３５】
セレクタＳ１、Ｓ２は、どのテレビ・インターホン・モニタ４０からのコマンド信号でも対応できる。操作は、コマンドセンサ６０及びコマンド線１７、１７Ｂ、１７Ｃを介して、あるいは電子案内ステーション１２９から発生させるコマンドを介して行う。電子案内ステーション１２９からのコマンドは、インターネット・インタフェース１１０及び接続線１８を介して伝送する。また操作は入口パネル７０で発生させ、選択線ＳＬを介してセレクタＳ１、Ｓ２に供給するコマンドによっても行える。セレクタＳ１は、入口パネル７０をテレビ・インターホン・モニタ４０のうちの一つを、インターネット・インタフェース１１０とセレクタＳ２を介して電子案内ステーション１２９に接続させるコマンドを送出することができる。他のテレビ・インターホン・モニタ４０を接続させることももちろんできる。入口パネル７０をインターネット・インタフェース１１０にセレクタＳ１、Ｓ２を介して接続することもできる。テレビ・インターホン・モニタ４０のうちの一つとともに、同時に入口パネル７０にもインターネット・インタフェース１１０に接続させ得る。すなわち本実施形態の構成にはかなり柔軟性があり、入口パネル７０と電子案内ステーション１２９を接続するのに、テレビ・インターホン・モニタ４０一つまたは複数同時に、個別のコミュニケーション線で接続すること、あるいは入口パネル７０及びテレビ・インターホン・モニタ４０の間を個別に、さらにはテレビ・インターホン・モニタ４０及び電子案内ステーション１２９の間をインターネット・インタフェース１１０によって接続させ得る。
【００３６】
セレクタＳ１及びＳ２は、一対の手動セレクタ・スイッチとして図示してあるが、図１及び図２のセレクタＳ１、Ｓ２と同様に、種々公知の電子アナログスイッチ、デジタル・スイッチ、マトリックス・スイッチを採用できる。これらのスイッチは、ＩＣパッケージとして広く利用できるものである。
【００３７】
また図１のインターネット・インタフェース１１０と同様に、図３のインターネット・インタフェース１１０には接続線１８を介して情報信号が供給され、コマンド線１７Ａとネットワーク線１９を介して電子案内ステーション１２９に接続し、ネットワーク線１９には、公共または専用の電話回線、有線、光ファイバー等を用い得る。ネットワーク線としては、ＴＣＰ／ＩＰ、ＡＴＭまたはイーサネットが周知である。またコミュニケーション線を直接にインターネット・ネップロバイダや電子案内ステーション１２９に接続することもできる。また図１の例と同様に、電子案内ステーション１２９は、人間または電子オペレータを備え、音声、ビデオ、制御、警報及びデータの通信手段を有する。データには、テレビ・インターホン・モニタ・システムによって使用される一般のコード、データ及び情報信号を含む。
【００３８】
図４は、本発明の第４実施形態に係るテレビ・インターホン・モニタ・システムを示す。本実施形態は、図３のシステムと同様に、複数のテレビ、インターホン・モニタ４０Ａを有するが、複数の電源１４を通信線１６、１６Ａの間に配し、ビデオ・インターホン・モニタ４０Ａと電源ユニット１４を接続する。通信線１６Ａには、再充電可能なバッテリ４９を充電する充電電流とともにテレビ・インターホンを操作するための制御電流を流す。バッテリ４９は、テレビ・インターホン・モニタ４０Ａのテレビ・モニタ回路４４に電力を供給する。電源１４とビデオ・インターホン・モニタ４０Ａへの電源供給は、米国特許第５，９２３，３６３に開示されているので説明を省略する。
【００３９】
図５は、本発明に係る第５実施形態を示す。本実施形態は、電子案内ステーション１２９に複数のテレビモニタシステムを接続するための装置である。電子案内ステーション１２９は、例えばインターネット上に位置する。本システムは、複数（ｎ個）の入口パネル（符号７０に１〜ｎを付して示す）を含み、各々テレビ・カメラ７１、マイクロホン７３、スピーカ７４、ディスプレイ・モニタ７５及びセレクタ・キー（図示させず）を有し、情報信号の送受信を行う。
【００４０】
本装置は、さらに案内カウンタ８及び警備カウンタ９を有する。これらカウンタは、各々情報信号を発生させかつ受信するモニタ５、インターホン・ユニット６及び制御回路１０２を有し、制御回路１０２は、コマンドを発生させかつ受信する。また本システムは、コマンドセンサ６０及び複数のセレクタＳＧ、ＳＣ、Ｓ１−１、Ｓ１−２、Ｓ１−ｎ、Ｓ２を有する。セレクタは入口パネル７０、案内カウンタ８、警備カウンタ９及びテレビ・インターホン・モニタ４０との間で情報信号を伝達するためのマトリックス・セレクタ・アセンブリＳＭを構成する。これらの情報伝達は、複数の通信線１６、１６−１、１６−２、１６ｎ、１６Ｃ、１６Ｇ、１８及び複数の入力コマンドセンサ６０を介して行い、コマンドセンサ６０によって伝達される情報信号からコマンド信号を受信する。
【００４１】
また各テレビ・インターホン・モニタ４０は、映像を表示するためのディスプレイ４４、情報信号を送受信するためのインターホン回路４５、及び図１または図３と同様にテレビ・インターホン・モニタ４０Ａを含む。各ビデオ・インターホン・モニタ４０Ａは、データ処理及び警報信号のためのデータ／警報入力、及び映像信号の受信と受信したデータ、警報及び映像信号を通信線１６を介して伝送するためのビデオ入力を有する。コマンドセンサ６０は、通信線１６によって伝えられる警報コマンド及び制御信号を抽出して復調し、コマンド線１７Ａを介してマスター制御回路１０１とインターネットインターフェイス１１０へ選択したコマンド信号を供給する。マスター制御回路１０１は、案内カウンタ８の制御回路１０２、警備カウンタ及びマトリックス・セレクタ・アセンブリＳＭを選択線１０１Ａを介して同時に制御する。この制御は、制御／コマンド線１７Ｂを介してコマンドセンサ６０から供給されるデータに対応して行う。
【００４２】
各セレクタＳ１−ｌ〜Ｓ１−ｎは、どのテレビ・インターホン・モニタ４０からでもコマンド信号を介して操作できる。そのコマンド信号は、コマンドセンサ６０及びコマンド線１７Ｂを介して、あるいは電子案内ステーション１２９からインターネット・インタフェース１１０及び接続線１８を介して伝送され、または入口パネルで発生し、選択線ＳＬを介してセレクタＳ１−１、Ｓ１−ｎに供給される。各セレクタＳ１−１、Ｓ１−ｎは、それぞれ入口パネル７０をテレビ・インターホン・モニタ４０の一つに接続させる。他のテレビ・インターホン・モニタ４０は、セレクタＳＧ、ＳＣ、Ｓ２を介して案内カウンタ８、警備カウンタ９、電子案内ステーション１２９に接続し得る。入口パネル７０、案内カウンタ８、警備カウンタ９は、インターネット・インタフェース１１０に、セレクタＳＣ、ＳＧ、Ｓ１−ｎ、Ｓ２、Ｓ１−１を介して接続し得る。入口パネル７０、案内カウンタ８または警備カウンタ９は、テレビ・インターホン・モニタ４０のうちの一つとともにインターネット・インタフェース１１０に接続できる。このような構成は、どの入口パネル７０、案内カウンタ、警備カウンタでも、またどのテレビ・インターホン・モニタ４０でも、個々にあるいは複合的に電子案内ステーション１２９と柔軟に接続可能としてある。これらの接続に別々のコミュニケーション線を用い、各入口パネル７０及びテレビ・インターホン・モニタ４０の間の一つずつを、インターネット・インターフェース１１０を介してテレビ・インターホン・モニタ４０と案内カウンタ８、警備カウンタ９及び電子案内ステーション１２９と接続する。
【００４３】
本実施形態のセレクタＳＧ、ＳＣ、Ｓ１−１、Ｓ１−ｎ、Ｓ２は、手動セレクタ・スイッチとして図示してあるが、図３の実施形態と同様に公知のリレー、電子アナログスイッチ、デジタル・スイッチ、マトリックス・スイッチで構成できる。
【００４４】
また図１及び図３のインターネット・インタフェース１１０と同様に、図５のインターネット・インタフェース１１０には接続線１８を介して情報信号が供給され、コマンド線１７Ａとネットワーク線１９を介して電子案内ステーション１２９に接続し、ネットワーク線１９には、公共または専用の電話回線、有線、光ファイバー等を用い得る。ネットワーク線としては、ＴＣＰ／ＩＰ、ＡＴＭまたはイーサネットが周知である。またはコミュニケーション線を、直接にインターネット・ネップロバイダや電子案内ステーション１２９に接続しすることもできる。
【００４５】
既述のように、電子案内ステーション１２９は、人間または電子オペレータを備え、音声、映像、制御、警報及びデータの通信手段を有する。データには、テレビ・インターホン・モニタ・システムによって使用される一般のコード、データ及び情報信号を含む。
【００４６】
図６は、本発明に係る第５実施形態を示す。本実施形態は、図５のシステムとほぼ同様のものであるが、テレビ・インターホン・モニタ４０Ａを複数含むが、複数の電源１４を通信線１６、１６Ａの間に配し、ビデオ・インターホン・モニタ４０Ａ、電源ユニット１４を接続している。通信線１６Ａには、再充電可能なバッテリ４９を充電する充電電流とともにテレビ・インターホンを操作するための制御電流を流す。バッテリ４９は、テレビ・インターホン・モニタ４０Ａのテレビ・モニタ回路４４に電力を供給する。複数の電源ユニット１４は図２の電源ユニットまたは図４の主電源ユニット７と同様である。
【００４７】
図７は、本発明の第７実施形態を示す。本実施形態は、複数のテレビ・インターホン・モニタ４０Ａ及び複数の入口パネル７０を有するテレビ・インターホン・モニタシステムであり、図５に示すシステムとほぼ同一であるが、ｎ個セレクタＳ２−１〜Ｓ２−ｎからなる拡張マトリックス・セレクタＳＭ−Ｘ及びｎ本の通信線１８−１〜１８ｎを備え、セレクタＳ２−１〜Ｓ２−ｎとインターネット・インタフェース１１０を接続している。この構成によって、インターネット・インタフェース１１０は電子案内ステーション１２９をブロードバンドネットワーク線１９Ｗを介してｎ個同時に取り扱うことができ、そのため多数の情報信号を一方向に多重伝送可能となっている。
【００４８】
図８は、本発明の第８実施形態を示す。本実施形態は、図７のシステムと同様のテレビ・インターホン・モニタ・システムであり、ｎ個のインターネット・インタフェース１１０の各々が、信号線１８−１〜１８ｎにより個々に情報を供給し、各インターネット・インタフェース１１０がネットワーク線１９を介して個々に電子案内ステーション１２９と接続する。電子案内ステーション１２９は、図３及び図５で示した電子案内ステーション１２９と全く同一である。
【００４９】
また図８のテレビ・インターホン・モニタ４０Ａは、通信線１６Ａを介して電源ユニット１４により電源を供給される。これは、図４及び図６の電源ユニット１４と全く同一である。しかしながら、テレビ・インターホン・モニタ４０Ａの代わりに、図７で示すテレビ・インターホン・モニタ４０を使用することも可能である。また図７のテレビ・インターホン・モニタ４０をビデオ・インターホン・モニタ４０Ａ及び電源ユニット１４に置き換えることも可能である。また、図３ないし図８に示すシステムでは、テレビ・インターホン・モニタ４０、４０Ａを一緒に用いることもできる。また、ｎ個のインターネット・インタフェース１１０と、テレビ・インターホン・モニタ４０、４０Ａや電子案内ステーション１２９のネットワーク線１９を介した接続は、インターネット・インタフェース１１０の個数をテレビ・インターホン・モニタ４０、４０Ａの個数や、入口パネル、案内ステーション、電子案内ステーション１２９、警備カウンタのブロードバンドネットワーク線１９Ｗの接続態様に合わせて決めればよい。
【００５０】
図９は、図２、４、６及び図８に示す実施形態のテレビ・インターホン・モニタの電気回路のブロック・ダイヤグラムである。上記各図に示すビデオ・インターホン・モニタは、ＤＣ成分を信号成分から切り離すＤＣ／信号混合・分離回路４９Ｃによって通信線１６Ａに接続している。ＤＣ／信号混合・分離回路４９Ｃは、信号波からＤＣ成分をブロックして信号成分を取り出すためのコンデンサ及びＲＦフィルタからなるが、トランスとＲＦトラップから構成することもできる。フィルタをかけたＤＣ電流は、ＤＣ／信号混合・分離回路４９Ｃから電流制御回路４９Ｂに供給する。電流制御回路４９Ｂは、インターホン回路４５に対してターミナル４８によって制御された電流を供給させ、Ｎｉ−Ｃｄ等の再充電可能なバッテリ４９を充電するトリクル電流をバッテリ制御回路４９Ａを介して供給させる。バッテリ制御回路４９Ａは、スイッチを介してテレビ・モニタ回路に接続し、ターミナル４８Ａを介してモニタを駆動する。制御電流供給の詳細及び再充電可能なバッテリの使用は、米国特許第５，９２３，３６３号において詳細に開示されている。なお、テレビ・インターホン・モニタ４０は、制御電流によってではなく、通信線１６を介するターミナル４８、４８Ａに直接供給される電力によって駆動する。そのため、電流制御回路４９Ｂ、バッテリ制御回路４９Ａ及びＤＣ／信号分離／混合回路４９ＣのＤＣ／信号分離部及びバッテリ４９は、テレビ・インターホン・モニタ４０の駆動には使用しない。
【００５１】
テレビ・インターホン・モニタ４０、４０Ａのインターホン回路４５は、コードセット回路３４を含み、ドアの開錠や、エレベーターを所望階に呼ぶこと、あるいはライトのオン／オフ、コードを変えること、図１ないし図８の各セレクタＳ１、Ｓ２、Ｓ１−１、Ｓ２−ｎのコード変更、電子案内ステーション１２９のコール等の操作を行うための制御及びコマンドコードをセットする。
【００５２】
図９のインターホン回路４５の警報接点３５は、警報コマンドコードをセットするもので、手で、または泥棒警報のような周辺警報設備を介して自動的に能動化できる。インターホン回路４５は、制御及びコード信号を発生させるコード信号発生回路３３を有し、既知の電話発信音周波数を発生させたり、既知のＲＳ４２２またはＲＳ２３２シリアル信号を発生させたり、二重トーン周波数からなるコード化された制御信号や連続信号を供給したりする。連続信号は、コード化された制御信号と混合するための信号プロセッサ／ミキサ３２へ送る。音声信号や映像信号としてターミナル４６を介して供給するか、データ信号としてターミナル４７を介して供給してもよい。そして、通信線１６にはＤＣ／信号混合・分離回路４９Ｃを介して混合信号を送出する。ＤＣ／信号混合・分離回路４９Ｃは、混合音声信号を既知の結合コンデンサまたは信号トランスによって送出する。周知のトランジスタ／バッファ・アンプ回路を使用して混合信号を通信線１６Ａ、１６に供給してもよい。
【００５３】
インターホン回路４５のコード信号発生回路３３は、デジタル・パルス・ジェネレーターを備え、選択されたコードに対応するデジタル・パルス信号を送出する構成とすることができる。その場合、信号プロセッサ・ミキサ３２がパルス信号を発生させ、デジタル・パルスを音声に混合し、混合した音声信号を通信線１６、６ＡにＤＣ／信号混合・分離回路４９Ｃを介して送出する。インターホン４５は、マイクロホン３６Ａ及びミキサ３２間に接続するマイクロホン・アンプ３６、信号抽出プロセッサ３８、スピーカ３９Ａに接続するスピーカ・アンプ３９、ドライバ回路４２に接続するコード・復調回路４１及び映像信号抽出・復調器４３を含む。
【００５４】
図１０は、本発明の各実施形態で用い得るスイッチマトリックス等を含む入口パネルの電気回路のブロック・ダイヤグラムである。図示のように、入口パネル７０は、コードセット及び発生回路７２Ａを含む制御コードをセットし、制御信号を発生させる。これは、コードセット回路３４及び図９のコード信号発生回路３３によって発生するコードに類似している。これらの制御信号は、例えば呼び鈴を動かし、ドアを開錠し、所望階にエレベーターを呼び、ライトをオン／オフさせ、所望のアパートのビデオ・インターホン・モニタに話しかけるための呼び出しキー７２を呼び出し、警報及びプログラムコマンド回路７２Ｂ及び警報及び他のコマンドコードをセットするためのコマンドメモリーを呼び出し、さらに例えば周辺警報設備による泥棒警報や電子案内ステーション１２９をつなぐための電子案内キーにより、手動でまたは自動で能動化することができる。
【００５５】
コードセット及び発生回路７２Ａは、二重のトーン・ダイヤラーＩＣから構成でき、既知の電話用発信音周波数を発生させるようにすることができる。また連続信号を発生させるＩＣ、例えばＲＳ４２２やＲＳ２３２、例えばＴＣＰ／ＩＰ、イーサネットまたはＡＴＭネットワークのために使用されるＴＰネットワーク信号を発生させるものも採用できる。単一のまたは一群の二重トーン周波数からなるコード化された制御信号または連続信号は、コードセット及び発生回路７２Ａから音声信号処理／混合回路７３Ｂに供給し、コード化された制御信号を音声信号に混合し、通信線１６電子及びセレクタＳ１に供給する。
【００５６】
電子案内ステーション１２９に電話をつなぐためのコードは、電話番号とすることができる。そのため、公共電話線や公共ＩＳＤＮ回線を使用できる。例えばインターネットのネットワーク・プロバイダを通して電子案内ステーション１２９のＩＰコードを指定することもできる。電子案内ステーション１２９を呼び出すコードは、電話番号とＴＰコードの組み合わせとし、例えばＰＣやインターネット通信で使用されるパスワードを含ませることも可能性である。後述のように、図９のコードセット回路３４及び図１０のコードセット及び発生回路７２Ａは、電子案内ステーション１２９につなぐための最終呼び出しが不要である。呼び出しはインターネット・インタフェース・ユニット１１０で発生させるが、それがコードセット回路３４、７２Ａがセットする電子案内呼び出しコードに基づくためである。
【００５７】
図１０のコードセット及び発生回路７２Ａは、デジタル・パルス・ジェネレーターからなり、選択されたコードに対応したデジタル・パルス信号を送信する。この場合、音声信号処理／混合回路７３Ｂがパルス信号を発生させ、パルス信号と音声の信号を混合し、混合音声信号を通信線１６に送出する。
【００５８】
図９のインターホン回路４５の信号抽出プロセッサ３８は、音声信号を情報信号から抽出する。また復調回路４１は、信号抽出／プロセッサ３８から供給される制御コードを復調し、ドライバ回路４２に復調したコード信号を供給し、呼び鈴の駆動、モニタ回路４４の切り替え、ライトのオン／オフ、警報発生等を行わせる。復調回路４１は、二重のトーンまたは連続信号用のデコーダＩＣから構成でき、電話等に使用される既知の発信音周波数を復調し、ドライバ回路４２に復調した制御信号を供給する。ドライバ回路４２は、電子切換／駆動装置、例えばトランジスタやマルチプレクサＩＣ、リレー、フォトカプラーその他の公知の切換／駆動手段からなる。
【００５９】
信号抽出プロセッサ３８はローパス・フィルタを使用することによって、音声信号を情報信号から抽出し、情報信号線１６Ｄから供給される情報信号から低周波数音声信号を抽出する。抽出された音声信号は、スピーカ・アンプ３９及びスピーカ３９Ａに供給する。マイクロホン３６Ａ、マイクロホン・アンプ３６、スピーカ３９Ａ及びスピーカ・アンプ３９は、公知の音声構成要素を使用し、受信した音声信号を増幅する。マイクロホン・アンプ３６は、マイクロホン信号を信号プロセッサ／ミキサ３２に混合音声及びマイクロホン信号を情報信号線１６Ｄを介して供給し、またＤＣ／信号混合・分離回路４９Ｃに混合音声信号及びマイクロホン信号を通信線１６または通信線１６Ａを介して送出する。
【００６０】
図９で示したインターホン回路４５のコード信号発生回路３３、あるいは図１０で示すコード信号セット発生回路７２Ａで発生させるコード化された制御信号は、連続信号またはデジタル信号、あるいはパルス信号である。図９で示す復調回路４１及び図１０で示す復調回路７６には、公知の帯域通過フィルタを使用し、デジタル信号またはパルス信号を抽出し、またデジタル・デコーダとしてコード化された信号を復調する。
【００６１】
上記の記述から明らかなように、図１０で示す入口パネル７０で発生する二方向の音声信号及びテレビ・インターホン・モニタ４０、４０Ａで発生する音声信号は、二方向の制御信号及び警報信号とともに入口パネル及びテレビ・インターホン・モニタの間で通信線１６、１６Ａを介して送信する。これら信号は、テレビ・インターホン・モニタ４０Ａのインターホン回路４５を操作するための制御電流及びテレビ・インターホン・モニタ４０、４０Ａのテレビ・モニタ回路４４を操作するための再充電可能なバッテリ４９を充電する電流を担持する。この場合、ランダムな電流ドレインやモニタのランダムな能動化に起因する脈流によって情報信号が乱されることがない。
【００６２】
図１０で示すように、公知のテレビ・カメラ７１が、映像信号プロセッサ・ミキサ７１Ａに合成映像信号を供給する。映像信号プロセッサ・ミキサは、周知の周波数変調ＩＣを使用し、搬送周波数で合成映像信号変調し、変調した映像信号の低周波数域を音声信号の高周波数域より上に保つ。これにより、映像信号を音声信号を乱さずに音声信号の通信線１６により伝送できる。映像信号プロセッサ・ミキサ７２は、既知の差分信号のコンバータＩＣを含むことができ、変調した映像信号を異なる信号に変え、通信線１６にセレクタＳ１及び電源ユニット１４を介して差分信号を供給することができる。また映像信号プロセッサ・ミキサ７１Ａは、映像信号をデジタル化しかつ圧縮するための公知の圧縮回路を含むことができ、圧縮したビデオ信号を通信線１６、セレクタＳ１を介して送出できる。
【００６３】
図９に示すインターホン回路４５の映像信号抽出・復調器４３は、信号線１６Ｄから周波数変調映像信号または差分信号または圧縮映像信号を公知の帯域通過フィルタを使用することによって抽出し、抽出した映像信号を公知のＩＣ回路等の構成要素を使用して復調し、テレビ・モニタ回路４４へ復調映像信号とともに供給し、ビルの入口にいる訪問客の映像をテレビ・モニタ回路４４に表示する。テレビ・モニタ回路は、復調回路４１から供給されるコマンドに基づいてドライバ回路４２によって作動する。また、上述の記載から明らかなように、入口パネルや入口ユニットからテレビ・インターホン・モニタに一般的な通信線によって、音声信号、制御信号及び警報信号とともに映像信号からなる情報信号を送出する。
【００６４】
図９の信号プロセッサ・ミキサ回路３２は、ビデオ回路７１Ａが図１０に示すものと同様のものである。また図１０のデジタル・データの音声信号処理／混合回路７３Ｂとも同様である。したがって、図９のターミナル４６、４７に供給されるすべての映像信号及びデータ信号を、処理、混合し、ＤＣ／信号混合・分離回路４９Ｃによって通信線１６Ｄを介して通信線１６、１６Ａに送出する。
【００６５】
入口パネルのビデオ、データ及び音声抽出プロセッサ７７は、抽出、復調した映像信号を図１０のＴＶ／データ・モニタ回路７５に送る。これは、図９のビデオ信号の映像信号抽出・復調器４３と同様である。
【００６６】
図５ないし図８に示す案内カウンタ８のコントローラ１０２及び警備カウンタ９のコントローラ１０２は、制御データをマスター・コントローラ１０１及びマトリックス・セレクタ・アセンブリＳＭから受信し、オーバーライドした制御及びセレクタ選択信号をコントローラ１０１及びマトリックス・セレクタ・アセンブリＳＭ、ＳＭ?Ｘに送る。マトリックス・セレクタ・アセンブリＳＭ、ＳＭ?Ｘからコントローラ１０１またはコントローラ１０２に供給される信号は、スイッチオン、オフデータを含む、このデータは、警備や案内のための訪問客、呼び出し者及び警報情報及び状態を提供する。
【００６７】
案内カウンタ８及び警備カウンタ９のインターホン回路６は、図９のテレビ・インターホン・モニタ４０のインターホン回路４５、４０Ａと同一である。一方、モニタ回路５には、図９で示すように、テレビ・モニタ回路４４等の種々のテレビ・モニタ回路を採用できる。したがって、案内カウンタ８や警備カウンタ９は、音声、映像、制御、データ、警報信号を、種々のテレビ・インターホン・モニタ４０、４０Ａや入口パネル７０、電子案内ステーション１２９からでも、インターネット・インタフェース１１０を介して送受できる。このような構成は、案内または警備システム全体の構成を柔軟なものとし、各入居者と訪問客間の情報交換を容易とし、非常事態の場合の呼び出し、電子案内センターとの直接または同時の連絡を可能にする。
【００６８】
また図５ないし図８のマスター制御回路またはコントローラ１０１及び図３、図４及び図１０のコントローラ１３０は、コマンドセンサ６０からの制御及びコマンド信号を送受する。コマンドセンサ６０がコマンドコード抽出／復調回路及びコマンド・ドライバ・コミュニケータ回路６０Ａを備えるとともに複数の入力１２−１〜ｎを有し、各入力は通信線１６−１〜ｎのうちの一つに接続して情報を送受信する。抽出／復調回路は、ｎ個の回路を構成し、各信号抽出／プロセッサ及びコード復調回路を構成する。これは、図９の信号抽出プロセッサ３８及び復調回路４１と同様である。信号抽出／プロセッサ及び復調回路の数を減らすには、通信線１６を走査回路によって一つの信号抽出回路に接続し、次々と通信線を走査して順次に情報信号を図９の回路３８と同様に、一つの信号抽出プロセッサ回路の入力に供給する構成とすればよい。また、所望数の通信線１６をｎ個のスキャナによって個々に走査し、各スキャナの出力が情報信号ｎ個の信号抽出／プロセッサ回路へ抽出信号出力として図９の回路３８と同様に送信するように構成してもよい。
【００６９】
抽出信号は、図９の復調回路４１と同様のコード復調器に供給され、復調されたコードはコマンドセンサから図３〜図８及び図１０に示すマスター・コントローラ１０１またはコントローラ１３０にコマンド線１７Ｂを介して送出するか、同様に、図１〜図８及び図１０に示すセレクタＳ、Ｓ１０あるいはマトリックス・セレクタ・アセンブリＳＭ、ＳＭ−Ｘに電子案内選択線１７を介して送出する。マスター・コントローラ１０１またはコントローラ１３０は、入口パネルに、例えばライトのスイッチをオンさせるコマンドを送り、デジタル・データ、音声、ビデオレコーダー１４０を作動させ、案内や警備員を呼び、またはシステムの他の機能を能動化させる。同時に、コマンド線１７Ｂは、コントローラ１３０、１０１及び選択線１０１Ａ、１７Ｃを介してあるいは直接的に、セレクタＳ１、Ｓ１０、ＳＭ、ＳＭ−Ｘのいずれかに接続するためのコマンドを、受信したコマンドに対応させてテレビ・インターホン・モニタ４０、４０Ａへ接続コマンドを送る。ビデオ・インターホン・モニタ４０、４０Ａを電子案内ステーション１２９に接続するコマンドは、コマンドセンサ６０から１７を介してセレクタＳ２あるいはセレクタＳ２−１〜Ｓ２−ｎのいずれかに送る。またコマンド線１７Ａを介してインターネット・インタフェース・ユニット１１０にも送る。
【００７０】
図１０に示すインターネット・インタフェース１１０は、警報、データ、音声及び映像抽出／復調回路１１０Ａを含み、信号プロセッサ・ミキサ３２に類似の回路、コード信号発生回路３３、信号抽出器プロセッサ３８、コード・復調回路４１及び映像信号抽出器、インターホン回路４５の復調器及びプロセッサ４３を有し、したがって、インターネット・インタフェース・ユニット１１０の警報、データ、音声及び映像抽出／復調回路１１０Ａは、音声、映像、警報、制御及びデータ信号を抽出、混合、復調及びコード化することができ、それを二方向の情報信号用の２本の通信経路セレクタＳ２及び接続線１８を介して送受する。これは、テレビ・インターホン・モニタ４０、４０Ａ、入口パネル７０、案内カウンタ８、警備カウンタ９と同様である。警報、データ、音声及び映像抽出／復調回路１１０Ａは、音声、映像、警報、制御及びデータ信号を送受するが、これは、図９の信号プロセッサまたはミキサ３２の入力信号と同様であり、また、信号抽出器プロセッサ３８及び図９の映像信号抽出、復調及びプロセッサ４３から供給する出力信号とも同様である。
【００７１】
上述の信号送受は、イントラネット線１１０Ｂによる。イントラネット線１１０Ｂには、インターネット／ネットワーク・コミュニケータ１１０Ｃが接続するが、これは公知のＰＣ、携帯型ＰＣ、パームＰＣカスタム・プログラムされかつ制御コード信号を受信可能に構成されたインターネット／ネットワーク・コミュニケータを接続させ得る。これらはコマンド線１７Ａあるいは、警報、データ、音声及び映像抽出／復調回路１１０Ａを介して接続させ、音声、映像、データ、警報及び制御信号を処理させ、電子案内ステーション１２９に対する接続信号をネットワーク線１９を介して発生させる。ネットワーク線１９のバンド幅に応じ、かつＰＣまたはカスタム・プログラムされたインターネット／ネットワーク・コミュニケータ１１０Ｃの処理能力に応じて、インターネット・インタフェース１１０は、警報、データ、音声及び映像抽出／復調回路の個数ｎを変更でき、単一のまたは複数同時の電子案内処理を単一のまたは複数の電子案内ステーション１２９に行わせることができる。この処理は、声（音声）、映像（ビデオ）、データ、警報、単一または複数のテレビ・インターホン・モニタ、入口パネル、ビデオ・インターホン・モニタシステムの案内カウンタや警備カウンタからの制御信号による。
【００７２】
図９のスピーカ３９Ａ及びマイクロホン３６Ａ、及び図１０のスピーカ７４及びマイクロホン７３は、電話に使用する送受話器を含むことができる。また、コード・セットキーをセットしているコードとして、図９の回路３４及び図１０の呼び出しキー７２を、図９のモニタ画面４４や図１０のモニタ７５にタッチ・キーとして含ませることもできる。それにより、本発明の方法、装置を、テレビ・インターホン・モニタ・システムとして電子案内ステーション１２９に接続し、テレビ・インターホン・モニタのタッチスクリーンの単純なタッチ及び単純な声のコミュニケーションによって電子案内ステーション１２９とインターホン送受話器を使用することが可能になる。
【００７３】
図１ないし図８及び図１０で示す単一または複数の電子案内ステーション１２９は、ネットワーク線１９、１９Ｗにコミュニケーションネットワーク１１９を介して接続している。コミュニケーションネットワーク１１９は、専用のネットワークや公共ネットワーク、例えばＩＳＤＮ、インターネット、公共電話交換システムである。
【００７４】
電子案内ステーション１２９のオペレータが送受話器またはマイクロホン付のヘッドセット及びスピーカを備えるようにすれば、建物の入口パネル７０によって入居者に電話をしている訪問客と声によるコミュニケーションが行え、またアパート内の入居者と直接にあるいはテレビ・インターホン・モニタ４０、４０Ａを通して話をすることができる。また案内ステーションや警備ステーション、訪問客とも同様である。
【００７５】
また電子案内ステーション１２９には、訪問客を観察するためにモニタを備えることもできる。デジタルビデオ及び音声レコーダ、訪問客の映像や音声を記録するレコーダを備えることもできる。またテレビ・インターホン・モニタ４０、４０Ａに接続しているビデオ・カメラを動作させて、アパート内からの映像や通信内容を記録することもできる。
【００７６】
入居者に関するデータ及び情報、システム設置場所等の情報を記憶回路に保存できる。例えば図１０で示すコマンド記憶回路７２Ｃにデータを保存でき、情報及びデータを自動的に電子案内ステーション１２９に伝達することができ、かつ電子案内ステーション１２９のオペレータの前にあるディスプレイに必要な情報を表示させることができる。データがシステムに保存されていれば、例えば呼び出し人の名前、アドレスまたは呼び出し側のクレジットカード番号さえ表示させ得る。
【００７７】
その結果、電子案内ステーション１２９のオペレータは、訪問客の問いに答える作業だけでなく、多くの作業を取り扱うことができる。訪問客から建物の特定の入居者への特定の呼び出しも取り扱うことができる。
【００７８】
さらに電子案内ステーション１２９のオペレータは、例えばドアを開けたり、所望階のエレベーターライトのスイッチオン、オフ等の制御信号を送ることができ、電子案内オペレータは、例えばショーのチケット購入すること、医者または救急車を呼ぶこと、例えば電気技術者、配管工、ペンキ屋等の修理人と接触することサービスを提供することができる。また、食料品、雑貨の配達を近所のスーパーマーケットやファーストフード・チェーン店等に頼むという購入サービスも提供できる。
【００７９】
このような広いサービスを効果的に提供するために、電子案内ステーション１２９では、製品のメニューやカタログ、価格リスト等をテレビ・インターホン・モニタ４０、４０Ａ、モニタ４４案内モニタ５や警備カウンタ、テレビや図１０のデータモニタ回路７５に表示させることもできる。
【００８０】
ネットワーク線１９を介して送受されるデータ及び信号の容量を減らすために、製品のメニューやカタログ、価格リスト等を、例えばパーソナルコンピュータ用のハードディスクや特別にプログラムしたインターネット／ネットワーク・コミュニケータ１１０Ｃ等のメモリに記憶させ、電子案内ステーションのオペレータや他の案内ステーション、警備カウンタ、入居者等の操作により呼び出して、テレビ・モニタ回路４４、モニタ５あるいはディスプレイ・モニタ７５等に表示させるようにすることができる。すべてのサービスデータをパーソナルコンピュータに記憶させておけば、ネットワーク線１９やコミュニケーションネットワーク１１９で使用できるバンド幅にかかわらず、瞬時に多くのサービスを表示できる能力によって、電子案内ステーションによって供給されるサービスを素早く効果的に提供できる。
【００８１】
【発明の効果】
本発明に係るテレビ・インターホン・モニタ・システムの接続方法及び同装置は、以上説明してきたように、電子案内ステーションにテレビ・インターホン・モニタ・システムを接続し、テレビ・インターホン・モニタには、通信線によってまたは直接に送電線によって電力を供給でき、入口パネルや入口ユニット、案内カウンタ、警備カウンタは、電子案内ステーションに単純な装置で接続でき、それらの接続を任意に組み合わせでき、それによって任意数の入口パネルにでも接続でき、複数の任意のテレビ・インターホン・モニタにも、テレビ・インターホン・モニタを接続している通信線によって接続でき、電源ユニットを介して電力を供給し、同時に他の入口パネルやテレビ・インターホン・モニタ・ステーション、案内カウンタ、警備カウンタ、案内ステーションに対してインターネットを介して接続できるという効果がある。
【図面の簡単な説明】
【図１】   本発明の第１実施形態に係るテレビ・インターホン・モニタ・システムのブロック・ダイヤグラムである。
【図２】   本発明の第２実施形態に係るテレビ・インターホン・モニタ・システムのブロック・ダイヤグラムである。
【図３】   本発明の第３実施形態に係るテレビ・インターホン・モニタ・システムのブロック・ダイヤグラムである。
【図４】   本発明の第４実施形態に係るテレビ・インターホン・モニタ・システムのブロック・ダイヤグラムである。
【図５】   本発明の第５実施形態に係るテレビ・インターホン・モニタ・システムのブロック・ダイヤグラムである。
【図６】   本発明の第６実施形態に係るテレビ・インターホン・モニタ・システムのブロック・ダイヤグラムである。
【図７】   本発明の第７実施形態に係るテレビ・インターホン・モニタ・システムのブロック・ダイヤグラムである。
【図８】   本発明の第８実施形態に係るテレビ・インターホン・モニタ・システムのブロック・ダイヤグラムである。
【図９】   図２、４、６及び８に示す実施形態のテレビ・インターホン・モニタの電気回路のブロック・ダイヤグラムである。
【図１０】   本発明の各実施形態で用い得るスイッチマトリックス等を含む入口パネルの電気回路のブロック・ダイヤグラムである。
【符号の説明】
５  モニタ
６  インターホン・ユニット
８  案内カウンタ
９  警備カウンタ
１４  電源
１６・・・  通信線
１７  コマンド線
１８  接続線
１９  ネットワーク線
３２  信号プロセッサ／ミキサ
３３  コード信号発生回路
３４  コードセット回路
３６  マイクロホン・アンプ
３８  信号抽出プロセッサ
３９  スピーカ・アンプ
４０  テレビ・インターホン・モニタ
４１  コード・復調回路
４２  ドライバ回路
４３  映像信号抽出・復調器
４４  テレビ・モニタ回路
４５  インターホン回路
４９  バッテリ
４９Ａ  バッテリ制御回路
４９Ｂ  電流制御回路
４９Ｃ  ＤＣ／信号混合・分離回路
５０、６０  コマンドセンサ
７０  入口パネル
７１  テレビ・カメラ
７２  呼び出しキー
７２Ａ  コードセット及び発生回路
７２Ｂ  警報及びプログラムコマンド回路
７３  マイクロホン
７４  スピーカ
７５  ディスプレイ・モニタ
７６  復調回路
１０１  マスター制御回路
１０２  制御回路
１１０  インターネットフェース
１１０Ａ  警報、データ、音声及び映像抽出／復調回路
１１０Ｂ  イントラネット線
１１０Ｃ  インターネット／ネットワーク・コミュニケータ
１１９  コミュニケーションネットワーク
１２０  入口ユニット
１２９  電子案内ステーション
１３０  制御回路
Ｓｌ、Ｓ２・・・  セレクタ
ＳＬ  選択線
ＳＭ  マトリックス・セレクタ・アセンブリ
【図１】
0003736757.tif 000002
【図２】
0003736757.tif 000003
【図３】
0003736757.tif 000004
【図４】
0003736757.tif 000005
【図５】
0003736757.tif 000006
【図６】
0003736757.tif 000007
【図７】
0003736757.tif 000008
【図８】
0003736757.tif 000009
【図９】
0003736757.tif 000010
【図１０】
0003736757.tif 000011